【手続補正書】
【提出日】平成29年9月20日(2017.9.20)
【手続補正１】
【補正対象書類名】明細書
【補正対象項目名】００１０
【補正方法】変更
【補正の内容】
【００１０】
本発明によれば、それに対応したポリマーが提供され、これはそのような感圧接着料の製造に適している。そのようなポリマーは、それぞれが主鎖及びその主鎖にある一つ又は二つ以上の側鎖を含む、分岐状のマクロ分子からなるポリマーであり、その際、該マクロ分子の構成単位が、次の、
ａ）Ｘ重量％の一つ又は二つ以上のアクリル酸エステル及び／又はメタクリル酸エステルであり、その際、８０≦Ｘ≦９９．５であるモノマー；
ｂ）Ｙ重量％の、少なくとも一つの酸官能基を有するラジカル共重合可能なモノマーであり、その際、０．５≦Ｙ≦１５であるモノマー；
ｃ）Ｚ重量％のビニル化合物であるモノマーであり、その際、０≦Ｚ≦５であり、
（そして、Ｘ＋Ｙ＋Ｚ＝１００ある。）、
に起因している、該ポリマーであって、前記主鎖にある側鎖の少なくとも一つが、少なくとも１０００ｇ／モルの数平均モル質量を有し、そして、主鎖及び少なくとも１０００ｇ／モルの数平均モル質量を有する側鎖において、個々のモノマーａ）、ｂ）及びｃ）に起因する構成単位のそれぞれの含有量Ｘ、Ｙ及びＺが、同じか又は異なることができ、ここでそれらの含有量が異なる場合、いずれの場合においても、上下の逸脱は最大１％であることができ、
その際、主鎖及び側鎖それぞれのモノマーａ）、ｂ）及びｃ）は、同じモノマーであるか又は異なるモノマーであることができる、上記のポリマーに関する。
【手続補正２】
【補正対象書類名】明細書
【補正対象項目名】００１２
【補正方法】変更
【補正の内容】
【００１２】
さらに本発明は、そのようなポリマーの製造方法であって、その際、前記ポリマーが、Ａ）Ｗ重量％（モノマー群Ａ及びモノマー群Ｂを含有するモノマー混合物に基づく）の次のモノマー：
ａ）Ｘ重量％（８０≦Ｘ≦９９．５）（該モノマー群Ａに基づく）の一つ又は二つ以上のアクリル酸エステル及び／又はメタクリル酸エステル；
ｂ）Ｙ重量％（０．５≦Ｙ≦１５）（該モノマー群Ａに基づく）の、少なくとも一つの酸官能基を有するラジカル共重合可能なモノマー；
ｃ）Ｚ重量％（０≦Ｚ≦５）（該モノマー群Ａに基づく）の、ビニル化合物、
及び、
Ｂ）（１００−Ｗ）重量％（モノマー群Ａ及びモノマー群Ｂを含有するモノマー混合物に基づく）の次のマクロモノマー：
ｄ）数平均分子量が１０００ｇ／モル以上であり、そして、次のモノマー、
ａ）Ｘ重量％（８０≦Ｘ≦９９．５）の一つ又は二つ以上のアクリル酸エステル及び／又はメタクリル酸エステル；
ｂ）Ｙ重量％（０．５≦Ｙ≦１５）の、少なくとも一つの酸官能基を有するラジカル共重合可能なモノマー；
ｃ）Ｚ重量％（０≦Ｚ≦５）の、ビニル化合物、
に起因するモノマーを構成単位とする、少なくとも一つのエチレン性二重結合を含む基によって末端が官能性化されたマクロ分子、
を含有するモノマー混合物のフリーラジカル重合から得られ、
その際、８０≦Ｗ９５であり、
その際、モノマー群Ａ及びモノマー群Ｂのモノマーａ）、ｂ）及びｃ）はそれぞれ、同じモノマーか又は異なるモノマーであることができ、そして、
その際、モノマー群Ａ及びモノマー群Ｂのモノマーａ）、ｂ）及びｃ）の量Ｘ、Ｙ及びＺはそれぞれ、同じか又は異なることができる、上記の方法に関する
【手続補正３】
【補正対象書類名】明細書
【補正対象項目名】００１３
【補正方法】変更
【補正の内容】
【００１３】
これは、ラジカル重合反応において、モノマー群Ａがモノマー群Ｂと反応し、その際、モノマー群Ａのモノマーが依然としてモノマーとして存在する一方で、モノマー群Ｂのモノマーがマクロモノマーであることを意味する。その際、マクロモノマーＢを構成するモノマーの重量比は、モノマーとして使用されるモノマーＡの重量比に対応するか、又は該重量比は相違していることができる。モノマーＢを構成するモノマーの重量比が、モノマーとして使用されるモノマーＡの重量比に本質的に対応している、すなわち、重量比が同じか又は（成分ａ）、ｂ）及びｃ）からなる全混合物に基づいて）最大１％だけ互いに相違するような実施形態が好ましく、そして、重量比が一致しているような実施形態が特に好ましい。その際、モノマー又はモノマー混合物ａ）、ｂ）及びｃ）は、主鎖及び側鎖について相違していることができる。しかしながら、好ましくは、同じモノマー又はモノマー混合物が使用され、それにより、主鎖も側鎖も同じ構成単位から構成される。
【手続補正４】
【補正対象書類名】明細書
【補正対象項目名】００１９
【補正方法】変更
【補正の内容】
【００１９】
本発明の有利な実施形態において、本発明のポリマーは、平均して、好ましくは１〜５個、特に好ましくは１〜３個の、マクロ分子（ポリマー分子）当たりＭｎ＞１０００ｇ／モルの側鎖を有する。
【手続補正５】
【補正対象書類名】明細書
【補正対象項目名】００２５
【補正方法】変更
【補正の内容】
【００２５】
それ故に、感圧接着料は、通常、ポリマー又は多数のポリマーのブレンド（混合物）からなるポリマー成分を含み、その際、該ポリマー成分自体は、既に、感圧接着性であることができるか、又はそうでないことができ、そして、任意に、感圧接着特性、そうでなければ、所望の化学的及び／又は物理的特性を発現又は調節のために利用される樹脂成分及び／又は添加剤を含む。本明細書の範囲内において、樹脂とは、特に、オリゴ−及び（低級）ポリマー化合物−通常、アモルファス構造−であると見なされ、それらの数平均分子量Ｍｎは５，０００ｇ／モル以下である。言うまでもなく、本発明の感圧接着料のポリマー成分を製造するための上記で定義したモノマー混合物の重合時に生じる短鎖の重合生成物は、“樹脂”の意味に包含されない。接着性付与の樹脂−接着樹脂とも言う−は、しばしば、８０〜１５０℃の範囲の軟化点を有するが、定義においてこの範囲のものに限定されない。オリゴマー化合物及びポリマー化合物、例えば、樹脂の軟化点ＴＥに対する指標は、適当な測定を使用したＤＩＮ  ＥＮ  １４２７：２００７に準拠した環球法に関連する（ビチューメンに代えて、それ以外は方法プロセスをそのままにしたオリゴマープローブ又はポリマープローブの検査）。測定は、グリセリン浴中で行う。反応性樹脂とは、その官能性基が、感圧接着料の別の成分−例えば、ポリマー成分のマクロ分子又はその他の反応性樹脂−と、適切な活性化により反応可能であるような樹脂である。
【手続補正６】
【補正対象書類名】明細書
【補正対象項目名】００２８
【補正方法】変更
【補正の内容】
【００２８】
粘弾特性を得るために、感圧接着料の基礎となるポリマーのベースとなるモノマー、並びに、場合によっては存在する、感圧接着料の別の成分は、感圧接着料が、使用温度を下回る（すなわち、通常、室温を下回る）ガラス転移温度（ＤＩＮ  ５３７６５に準拠）を有するように特に選択される。接着テープの感圧接着料の十分な凝集性及び弾性を達成するために、感圧接着料は、一般に、架橋され、これは、個々のマクロ分子が、架橋結合により互いに連結されることを意味する。架橋は、様々な方法で起こすことができ、そのために、物理的、化学的又は熱的な架橋方法がある。適切な凝集性強化処置、例えば、架橋反応（マクロ分子間に架橋性の連結を形成すること）は、その上、ポリマー材料が感圧接着特性を示す温度範囲を広げる、及び／又は移動させる。それ故、感圧接着料の使用範囲は、場合によっては、最初に室温の範囲に移行した場合にも、材料の流動性（粘度）と凝集性との間を調節することによって最適化される。
【手続補正７】
【補正対象書類名】明細書
【補正対象項目名】００３０
【補正方法】変更
【補正の内容】
【００３０】
ポリマー及び感圧接着料の組成
本発明において、上記で定義した、ポリマーが感圧接着料のベースとして適しており、本発明の目的を満たすことが判明した。その際、使用されるポリマーのためのモノマー、又は使用される複数種のポリマーは、上述した室温での粘弾特性を実現するために、好ましくは、−場合によっては、さらに混合した及び／又は場合によって架橋された−感圧接着料が、−１０℃以下、好ましくは−１５℃以下のガラス転移温度ＴＧを有するように選択される。
【手続補正８】
【補正対象書類名】明細書
【補正対象項目名】００４８
【補正方法】変更
【補正の内容】
【００４８】
それぞれの許容可能な割合の範囲内で、提供物中のモノマー群Ａのモノマーａ）、ｂ）及びｃ）は、マクロモノマー中におけるそれぞれのモノマーａ）、ｂ）及びｃ）に寄与する構成単位の割合に依存することなく選択できる。しかしながら、好ましくは、モノマー群Ａにおけるモノマーａ）、ｂ）及びｃ）の組成は、結果として得られるポリマーにおいて、主鎖中のモノマーａ）、ｂ）及びｃ）のそれぞれに寄与する構成単位（モノマー群Ａのモノマー由来の構成単位）それぞれの割合、及び側鎖中の対応するモノマー種ａ）、ｂ）及びｃ）に寄与する構成単位それぞれの割合が、互いに近似する、特に、１％以下（重量％、それぞれ、モノマーａ）、ｂ）及びｃ）の全体に基づく）互いに異なるように選択される。特に好ましくは、主鎖における構成単位の組成は、−モノマーａ）、ｂ）及びｃ）に寄与する構成単位のそれぞれの割合に基づく−と、側鎖におけるそれとは一致する。
【手続補正９】
【補正対象書類名】特許請求の範囲
【補正対象項目名】請求項１
【補正方法】変更
【補正の内容】
【請求項１】
それぞれが主鎖及びその主鎖にある一つ又は二つ以上の側鎖を含む、分岐状のマクロ分子からなるポリマーであり、その際、該マクロ分子の構成単位が、次の、
ａ）Ｘ重量％の一つ又は二つ以上のアクリル酸エステル及び／又はメタクリル酸エステルであり、その際、８０≦Ｘ≦９９．５であるモノマー；
ｂ）Ｙ重量％の、少なくとも一つの酸官能基を有するラジカル共重合可能なモノマーであり、その際、０．５≦Ｙ≦１５であるモノマー；
ｃ）Ｚ重量％のビニル化合物であり、その際、０≦Ｚ≦５であるモノマー、
（そして、Ｘ＋Ｙ＋Ｚ＝１００ある。）、
に起因している、該ポリマーであって、前記主鎖にある側鎖の少なくとも一つが、少なくとも１０００ｇ／モルの数平均モル質量を有し、そして、主鎖及び少なくとも１０００ｇ／モルの数平均モル質量を有する側鎖において、個々のモノマーａ）、ｂ）及びｃ）に起因する構成単位のそれぞれの含有量Ｘ、Ｙ及びＺが、同じか又は異なることができ、ここでそれらの含有量が異なる場合、いずれの場合においても、上下の逸脱は最大１％であることができ、
その際、主鎖及び側鎖それぞれのモノマーａ）、ｂ）及びｃ）は、同じモノマーであるか又は異なるモノマーであることができることを特徴とする、上記のポリマー。
【手続補正１０】
【補正対象書類名】特許請求の範囲
【補正対象項目名】請求項７
【補正方法】変更
【補正の内容】
【請求項７】
モノマーａ）として、全部又はほとんどがアクリル酸エステル及び／又はメタクリル酸エステルが選択され、そのホモポリマーが、−１０℃以下、好ましくは−１５℃以下のガラス転移温度（ＤＩＮ  ５３  ７６５に準拠した、１０Ｋ／分の一定した加熱速度での動的示差熱量測定による）を有することを特徴とする、請求項１〜６のいずれか一つに記載のポリマー。